(57)【要約】      （修正有）【課題】ディスプレイを安定して設置できる固定機構、及び、固定機構を備えた冷蔵庫を提供する。【解決手段】固定機構は、冷蔵庫のドア２０の凹溝２０１内に設置されてディスプレイ４０を固定する。固定機構には収容空間が設置され、収容空間にディスプレイを収容する。固定機構及びディスプレイのうちの一つには、少なくとも一つの位置限定口及び少なくとも一つの係合溝が設けられ、固定機構及びディスプレイのもう一つには、少なくとも一つの位置限定柱及び少なくとも一つのフックが設置され、位置限定口と位置限定柱とは互いにマッチし、係合溝とフックとは互いにマッチし、位置限定口と係合溝は対向して設置され、第一の方向上にディスプレイを固定する。【選択図】図２
0003216864.tif 000002
【実用新案登録請求の範囲】
【請求項１】
冷蔵庫のドア上に設置され、ディスプレイを固定するために用いられ、固定機構には収容空間が設けられており、前記収容空間は、前記ディスプレイを収容し、前記固定機構及び前記ディスプレイのうち一つには、少なくとも一つの位置限定口及び少なくとも一つの係合溝が設けられ、前記固定機構及び前記ディスプレイのもう一つには、少なくとも一つの位置限定柱及び少なくとも一つのフックが設置されており、前記位置限定口と前記位置限定柱とは互いにマッチし、前記係合溝と前記フックとは互いにマッチし、前記位置限定口と前記係合溝は対向して設置され、第一の方向上に前記ディスプレイを固定することを特徴とする固定機構。
【請求項２】
前記固定機構はベースを備え、前記ベースは底壁及び周壁を備え、前記周壁は前記底壁を囲んで設置されており、前記底壁と前記収容空間を形成することを特徴とする請求項１に記載の固定機構。
【請求項３】
前記周壁は、上側壁、下側壁、左側壁及び右側壁を備え、前記上側壁と前記下側壁とは対向して設置されており、前記左側壁と前記右側壁とは対向して設置されており、前記係合溝は前記上側壁上に設置され、前記位置限定口は前記下側壁上に設けられていることを特徴とする請求項２に記載の固定機構。
【請求項４】
前記左側壁上には少なくとも一つの第一実装孔が設けられており、前記ディスプレイには少なくとも一つの第一サポート柱が設置されており、前記少なくとも一つの第一サポート柱と前記少なくとも一つの第一実装孔とは互いにマッチし、第二の方向上に前記ディスプレイを固定することを特徴とする請求項３に記載の固定機構。
【請求項５】
前記固定機構はさらに少なくとも一つの第二サポート柱を備え、前記第二サポート柱は前記底壁に設けられ、且つ前記右側壁に近接して設置され、前記ディスプレイには少なくとも一つのリブが設置されており、前記リブ上には前記第二サポート柱と互いにマッチし、かつ貫通された第二実装孔が設けられており、前記第二実装孔と第二サポート柱とは互いにマッチすることを特徴とする請求項４に記載の固定機構。
【請求項６】
前記固定機構はさらに仕切り板を備え、前記仕切り板は前記収容空間内に設置されて、前記収容空間を収納空間とに分けることを特徴とする請求項３に記載の固定機構。
【請求項７】
前記仕切り板は前記左側壁と右側壁との間に設置され、且つ前記仕切り板は前記左側壁と互いに平行して設置されていることを特徴とする請求項６に記載の固定機構。
【請求項８】
前記仕切り板には第一穿孔が設けられて、前記収容空間と前記収納空間とを連通させることを特徴とする請求項６に記載の固定機構。
【請求項９】
本体、ドア及びディスプレイを備え、前記冷蔵庫はさらに請求項１〜８中の何れか一項に記載の前記固定機構を備え、前記ディスプレイは前記収容空間に設置されることを特徴とする冷蔵庫。
【請求項１０】
前記冷蔵庫のドア上には一つの凹溝が設けられており、前記凹溝は前記固定機構を収容するために用いられることを特徴とする請求項９に記載の冷蔵庫。
【考案の詳細な説明】
【技術分野】
【０００１】
本考案は、固定機構及びこの固定機構を備えた冷蔵庫に関するものである。
【背景技術】
【０００２】
冷蔵庫のスマート化に伴い、タブレットパソコンが既に冷蔵庫の制御システムとなっている。使用者が容易に操作及び制御できるよう、通常、タブレットパソコンは冷蔵庫のドア上に固定されており、この際、視点と略平行な箇所に位置する。しかし、如何にこのタブレットパソコンを効果的にドア上に固定させるかが、当業者が解決しなければならない問題となっている。
【考案の概要】
【考案が解決しようとする課題】
【０００３】
以上の問題点に鑑みて、本考案は、ディスプレイを安定して設置できる固定機構を提供することを目的とする。また、本考案はさらに前記固定機構を備えた冷蔵庫も提供する。
【課題を解決するための手段】
【０００４】
本考案は、固定機構を提供する。この固定機構は、冷蔵庫のドア上に設置されてディスプレイを固定する。固定機構には収容空間が設置されており、収容空間はディスプレイを収容する。固定機構及びディスプレイのうちの一つには、少なくとも一つの位置限定口及び少なくとも一つの係合溝が設けられ、固定機構及びディスプレイのもう一つには、少なくとも一つの位置限定柱及び少なくとも一つのフックが設置されており、位置限定口と位置限定柱とは互いにマッチし、係合溝とフックとは互いにマッチし、位置限定口と係合溝は対向して設置され、第一の方向上にディスプレイを固定する。
【０００５】
本考案は、冷蔵庫も提供する。この冷蔵庫は、本体、ドア及びディスプレイを備える。また、冷蔵庫はさらに固定機構を備え、ディスプレイは収容空間に設置される。
【考案の効果】
【０００６】
以上のことから、固定機構及びディスプレイのうちの一つには少なくとも一つの位置限定口及び少なくとも一つの係合溝が設けられており、固定機構及びディスプレイのもう一つには少なくとも一つの位置限定柱及び少なくとも一つのフックが設置されており、位置限定口と位置限定柱とは互いにマッチし、係合溝とフックとは互いにマッチして第一の方向上に効果的にディスプレイを固定する。固定機構は構造が簡単であり、素早く実装できる。
【図面の簡単な説明】
【０００７】
【図１】本考案に係る実施形態の固定機構を備えた冷蔵庫の構造を示す斜視図である。
【図２】本考案の図１に示す冷蔵庫のドアの分解斜視図である。
【図３】本考案の図２に示すドア上のベースの構造を示す斜視図である。
【図４】本考案の図３に示すベースの別の角度から見た斜視図である。
【図５】本考案の図２に示すドア上のディスプレイの構造を示す斜視図である。
【図６】本考案の図５に示すディスプレイの別の角度から見た斜視図である。
【考案を実施するための形態】
【０００８】
以下、具体的な実施方法と図面とを併せて、本考案を詳細に説明する。
【０００９】
本考案の実施例中の図面と併せて、本考案の実施例中の技術方案に対して明瞭且つ完全に説明する。しかしながら、この説明する実施例は、本考案の一部の実施例にすぎず、全ての実施例ではない。本考案中の実施例に基づき、当業者が創造的な労働を必要とせずに得たその他の実施例は、全て本考案の保護範囲に属する。
【００１０】
特別に定義しない限り、本考案で使用する全ての技術及び科学技術用語は、本考案の当業者が通常理解できる意味と同じである。本文において、本考案の明細書中で使用されている技術用語は、具体的に実施例の目的を説明するためだけのものであり、本考案を限定するものではない。
【００１１】
以下図面と併せて、本考案の実施例について詳細に説明する。矛盾しない限り、以下に記載の実施例と実施例中の特徴は互いに組み合わせることができる。
【００１２】
図１を参照すると、本考案の実施形態では冷蔵庫１００を提供する。本実施例において、冷蔵庫１００は、少なくとも固定機構１０、ドア２０、本体３０及びディスプレイ４０を備える。ドア２０は本体３０に接続されて本体３０の開閉を実現する。この本体３０は品物を保存するために用いられる。固定機構１０はドア２０の外観面に設置され、ディスプレイ４０を固定する。ドア２０の外観面は、ドア２０の本体３０と対向する面とは別の面である。
【００１３】
図２を参照すると、ドア２０の外観面上には凹溝２０１が設けられており、この凹溝２０１は固定機構１０を収容するために用いられる。
【００１４】
固定機構１０は少なくとも一つのベース１０１を備える。ベース１０１はディスプレイ４０を固定するために用いられる。
【００１５】
図３を参照すると、本実施例において、ベース１０１は凹溝２０１内に収容される。ベース１０１は、周壁１０３及び底壁１０４を備え、底壁１０４は略矩形を呈する。周壁１０３は底壁１０４を囲んで設置されており、収容空間２００を形成する。収容空間２００はディスプレイ４０を収容するために用いられる。収容空間２００のサイズ及び形状はディスプレイ４０と一致する。好ましくは、ディスプレイ４０が収容空間２００に収容される際、ディスプレイ４０の表示区域の表面とドア２０の外観面は同一平面上に位置する。これにより、ドア２０の外観の美しさが確保される。
【００１６】
一実施例において、ディスプレイ４０を接着剤によりベース１０１に固定してもよい。
【００１７】
図４を併せて参照すると、本実施例において、周壁１０３は四つの側壁を有する。この四つの側壁はそれぞれ上側壁１０３１、下側壁１０３２、左側壁１０３３及び右側壁１０３４である。上側壁１０３１と下側壁１０３２とは互い対向して設置されており、左側壁１０３３と右側壁１０３４とは互いに対向して設置されている。上側壁１０３１、下側壁１０３２、左側壁１０３３及び右側壁１０３４は共同で底壁１０４を囲んで設置されており、また、底壁１０４と共同で収容空間２００を形成する。また、周壁１０３の各側壁はディスプレイ４０の外周表面に対応して設置されて、ディスプレイ４０を固定する。上側壁１０３１上には少なくとも一つの係合溝１０３５が設けられている。本実施例において、係合溝１０３５は内側に凹んだ矩形の溝である。下側壁１０３２上には少なくとも一つの位置限定口１０３６が設けられている。本実施例において、位置限定口１０３６は略矩形を呈し、下側壁１０３２を貫通している。
【００１８】
図５及び図６を参照すると、本実施例において、ディスプレイ４０の外周表面上にはベース１０１と互いにマッチする構造が設けられている。
【００１９】
具体的には、ディスプレイ４０には少なくとも一つの係合フック４０１が設けられている。この少なくとも一つの係合フック４０１は、少なくとも一つの係合溝１０３５に対応して係合される。少なくとも一つの係合フック４０１は、一端がフック部を有する矩形の板体であり、且つディスプレイ４０の一側面上に略垂直に設置されている。ディスプレイ４０はさらに少なくとも一つの位置限定柱４０２が設置されている。この少なくとも一つの位置限定柱４０２は対応する少なくとも一つの位置限定口１０３６を収容する。少なくとも一つの位置限定柱４０２は矩形の板体を呈し、且つディスプレイ４０のもう一つの側面上に略垂直に設置されている。このように、係合フック４０１を介して対応する係合溝１０３５内に係合されると共に、位置限定柱４０２は位置限定口１０３６内に収容されて上側壁１０３１及び下側壁１０３２に、第一の方向（例、Ｘ軸方向）上にディスプレイ４０を固定させる。
【００２０】
その他の実施例において、上側壁１０３１上の係合フック４０１及び下側壁１０３２上の位置限定柱４０２がそれぞれディスプレイ４０上の係合溝１０３５及び位置限定口１０３６と互いにマッチして、第一の方向上にディスプレイ４０を固定できれば、上側壁１０３１上の係合溝１０３５はディスプレイ４０上の係合フック４０１と交換することができ、下側壁１０３２上の位置限定口１０３６はディスプレイ４０上の位置限定柱４０２の位置と交換することができる。
【００２１】
また、ディスプレイ４０をさらに強固にベース１０１に固定するために、左側壁１０３３及び右側壁１０３４をディスプレイ４０上の対応する構造（図示せず）とマッチさせて、第一方向と垂直な第二方向（例、Ｙ軸方向）上にディスプレイ４０を固定する。具体的には、左側壁１０３３上に少なくとも一つの第一実装孔１０３７が設けられている。本実施例において、第一実装孔１０３７は左側壁１０３３を貫通している。当然ながら、ディスプレイ４０の外周表面上にも第一実装孔１０３７と互いにマッチする構造を設ける。
【００２２】
具体的には、ディスプレイ４０には少なくとも一つの第一サポート柱４０３が設置されている。この少なくとも一つの第一サポート柱４０３は、少なくとも一つの第一実装孔１０３７と互いにマッチする。第一サポート柱４０３は、第一実装孔１０３７に対応するディスプレイ４０の一側面に設置される。ネジ等の実装部品が第一実装孔１０３７を貫通し、並びに第一サポート柱４０３内に螺接されて、ディスプレイ４０をベース１０１上に固定する。
【００２３】
固定機構１０はさらに少なくとも一つの第二サポート柱１０５を備える。第二サポート柱１０５は底壁１０４上に設置され、且つ右側壁１０３４に近接して設置されている。一実施例において、第二サポート柱１０５はネジ柱構造である。ディスプレイ４０の外周表面上にも第二サポート柱１０５互いにマッチする構造が設けられている。
【００２４】
具体的には、ディスプレイ４０には少なくとも一つのリブ４０４が設置されている。少なくとも一つのリブ４０４は、右側壁１０３４に対応するディスプレイ４０の一側面上に設置されている。リブ４０４は板状の構造である。このリブ４０４上には貫通された第二実装孔４０５が設けられている。第二実装孔４０５と第二サポート柱１０５は互いにマッチして設置されている。もう一つのネジ等の実装部品がリブ４０４上の第二実装孔４０５を貫通し、第二サポート柱１０５内に螺接して、ディスプレイ４０をベース１０１上に固定する。このように、ネジ等の実装部品が第一実装孔１０３７を貫通して、第一サポート柱４０３内に螺接し、同時に、もう一つのネジ等の実装部品がリブ４０４上の第二実装孔４０５を貫通し、第二サポート柱１０５内に螺接して、左側壁１０３３及び右側壁１０３４に、第二の方向（例、Ｙ軸方向）上でディスプレイ４０を固定させる。
【００２５】
また、リブ４０４上にはさらに強化リブ４０６が設置されており、この強化リブ４０６はリブ４０４をディスプレイ４０上に強固に固定する。
【００２６】
その他の実施例において、実装過程中にディスプレイ４０自身の重さにより第二サポート柱１０５が損傷するのを防ぐために、第二サポート柱１０５に近接する位置に第一支持柱１０５１を設置してもよい。一実施例において、この第一支持柱１０５１の断面は略Ｕ字型である。第一支持柱１０５１は底壁１０４に略垂直に設置されている。第一支持柱１０５１はリブ４０４を支持して、もう一つのネジ等の実装部品がリブ４０４上の第二実装孔４０５を貫通して、第二サポート柱１０５内に螺接させるのを補助する。
【００２７】
冷蔵庫１００にはさらにカメラが設置されている。このカメラはドア２０の外観面と背中合わせに設置されている。ディスプレイ４０とカメラとは有線または無線通信の方法によって接続されている。このように、カメラは撮影した冷蔵庫１００の保存状況をディスプレイ４０上にフィードバックすることができるため、使用者はドア２０を開かなくても冷蔵庫１００内の品物の保存状況がわかる。
【００２８】
再度図３及び図４を参照すると、その他の実施例において、固定機構１０はさらに仕切り板１０６を備える。仕切り板１０６は収容空間２００内に設置されて、収容空間２００を収納空間１０７に分ける。この収納空間１０７は、データ線、無線通信モジュール等の電子部品を収納するために用いられる。ディスプレイ４０が十分に収容されるように仕切り板１０６により収容空間２００を分ける。本実施例において、仕切り板１０６は左側壁１０３３と右側壁１０３４との間に設置され、且つ左側壁１０３３及び右側壁１０３４と略平行に設置されている。当然ながら、その他の実施例において、ベース１０１の形状に基づいて仕切り板１０６は上側壁１０３１と下側壁１０３２との間に設置されてもよく、この際、上側壁１０３１及び下側壁１０３２に略平行して設置される。
【００２９】
その他の実施例において、仕切り板１０６上には貫通された第一穿孔１０６１が設置されており、電線等をこの第一穿孔１０６１に通す。これにより、ディスプレイ４０と収納空間１０７中の電子部品とを電気接続させることができる。これに対応して、収納空間１０７に対応する一側壁上にも貫通された第二穿孔１０７１が設置されており、電線等をこの第二穿孔１０７１に通す。これにより、収納空間１０７中の電子部品とドア２０内の電子部品とを電気接続させることができる。
【００３０】
また、ディスプレイ４０とドア２０内の電子部品との電気接続を容易に実現できるよう、底壁１０４上に、接続口１０４１が対応して設けられている。
【００３１】
再度図２を参照すると、固定機構１０はさらにカバー板１０８を備える。このカバー板１０８は収納空間１０７上をカバーして設置され、且つ収納空間１０７を遮蔽する。好ましくは、カバー板１０８の表面は、ドア２０の外観面と同一平面上に位置する。本実施例において、カバー板１０８はベース１０１に係合接続される。具体的には、底壁１０４の第二サポート柱１０５に近接する位置にバックル１０８１が設置されている。これに対応して、カバー板１０８上には、このバックル１０８１と互いにマッチするブロック（図示せず）が設置されている。このように、カバー板１０８は、前記ブロックがバックル１０８１に係合されることによりベース１０１に固定される。
【００３２】
当然ながら、ネジを用いて固定する或いは接着の方法によりカバー板１０８をベース１０１に固定してもよい。
【００３３】
さらに、収納空間１０７の一側壁上にも複数の第二支持柱１０７２を設置してもよいが、好ましくは、第二支持柱１０７２は略直角扇形を呈し、カバー板１０８を支持するために用いられる。
【００３４】
本実施例において、固定機構１０を利用してディスプレイ４０を固定する場合、先ず、冷蔵庫１００のドア２０を発砲成形する前に、固定機構１０中のベース１０１をドア２０の凹溝２０１内に予め埋め込む。
【００３５】
次いで、ディスプレイ４０上の位置限定柱４０２及び係合フック４０１を一つ一つ対応させてベース１０１上の位置限定口１０３６及び係合溝１０３５に係合して、第一の方向上にディスプレイ４０を固定する。さらに、ネジがそれぞれ第一実装孔１０３７及び第二サポート柱１０５を貫通すると共に、第一サポート柱４０３及び第二サポート柱１０５内に螺接する。これにより、第二の方向上にさらにディスプレイ４０をベース１０１に固定する。
【００３６】
最後に、カバー板１０８を収納空間１０７上にカバーして、且つ収納空間１０７を遮蔽する。好ましくは、カバー板１０８の表面は、ドア２０の外観面と同一平面上に位置する。本実施例において、カバー板１０８はベース１０１に係合される。
【００３７】
固定機構１０は、周壁１０３上に係合溝１０３５及び位置限定口１０３６が設置され、ディスプレイ４０上には係合溝１０３５及び位置限定口１０３６と互いにマッチする係合フック４０１と位置限定柱４０２が設置されている。これにより、係合溝１０３５と位置限定口１０３６は、それぞれ係合フック４０１と位置限定柱４０２とマッチして、第一の方向上に効果的にディスプレイ４０を固定できる。固定機構１０の構造は簡単であり、素早く実装できる。
【００３８】
以上の実施例は、本考案の技術方案を説明しているだけであり、これに制限されない。実施形態を参照して本考案に対して詳細に説明しているが、当業者であれば理解できるものであり、本考案の技術方案の精神及び本質を逸脱しない限り、本考案の技術方案に対して修正できる又は同等なものに置き換えることができる。
【符号の説明】
【００３９】
１０  固定機構
２０  ドア
３０  本体
４０  ディスプレイ
１００  冷蔵庫
１０１  ベース
１０３  周壁
１０４  底壁
１０５  第二サポート柱
１０６  仕切り板
１０７  収納空間
１０８  カバー板
２００  収容空間
２０１  凹溝
４０１  係合フック
４０２  位置限定柱
４０３  第一サポート柱
４０４  リブ
４０５  第二実装孔
４０６  強化リブ
１０３１  上側壁
１０３２  下側壁
１０３３  左側壁
１０３４  右側壁
１０３５  係合溝
１０３６  位置限定口
１０３７  第一実装孔
１０４１  接続口
１０５１  第一支持柱
１０６１  第一穿孔
１０７１  第二穿孔
１０７２  第二支持柱
１０８１  バックル
【図１】
0003216864.tif 000003
【図２】
0003216864.tif 000004
【図３】
0003216864.tif 000005
【図４】
0003216864.tif 000006
【図５】
0003216864.tif 000007
【図６】
0003216864.tif 000008